(57)【要約】【課題】  従来、目視で検査されていた柱状部材の欠陥を検出する欠陥検査装置を提供する。【解決手段】  柱状の部材４の表面の欠陥検査装置１００であって、部材４の軸心方向と平行に検査部位４１を撮像するラインカメラ３１と、検査部位４１を、照射する第一の照明１１と、検査部位４１を、第一の照明１１と異なる角度から照射する第二の照明２１とを有し、ラインカメラ３１が検査部位を撮像する軸と、第一の照明１１が検査部位４１を照射する軸とのなす角度（θ１）が１０〜６０度の角度で照射し、ラインカメラ３１が検査部位４１を撮像する軸と、第二の照明２１が検査部位４１を照射する軸とのなす角度（θ２）が１０〜９０度の角度で照射し、第一の照明１１が検査部位４１を照射する軸と、第二の照明２１が検査部位４１を照射する軸とのなす角度（Δθ）が１０〜５０度の角度で照射する欠陥検査装置１００。【選択図】  図１
2020122738.tif 000002
【特許請求の範囲】
【請求項１】
柱状の部材の表面の欠陥検査装置であって、前記部材の軸心方向と平行に検査部位を撮像するラインカメラと、前記検査部位を照射する第一の照明と、前記検査部位を前記第一の照明と異なる角度から照射する第二の照明とを有し、
前記ラインカメラが前記検査部位を撮像する軸と、前記第一の照明が前記検査部位を照射する軸とのなす角度（θ１）が１０〜６０度の角度で、前記部材の高さ方向に沿って線状に照射し、
前記ラインカメラが前記検査部位を撮像する軸と、前記第二の照明が前記検査部位を照射する軸とのなす角度（θ２）が１０〜９０度の角度で、前記第一の照明が前記検査部位を照射する軸と、前記第二の照明が前記検査部位を照射する軸とのなす角度（Δθ）が１０〜５０度の角度で、前記部材の高さ方向に沿って線状に照射する欠陥検査装置。
【請求項２】
前記角度（θ１）が２５〜６０度であり、前記角度（θ２）が１０〜３０度であり、
前記角度（θ１）は前記角度（θ２）よりも大きく、前記角度（Δθ）が５〜４０度である請求項１記載の欠陥検査装置。
【請求項３】
前記角度（θ１）が、１０〜３０度であり、前記角度（θ２）が、２０〜９０度であり、
前記角度（θ１）は前記角度（θ２）よりも大きく、前記角度（Δθ）が、１０〜６０度である請求項１記載の欠陥検査装置。
【請求項４】
前記ラインカメラが前記検査部位を撮像する軸に向かってみたとき、前記部材の軸心方向と、前記第二の照明の照射する軸とのなす角度が、０〜６０度の方向から照射するものである請求項３記載の欠陥検査装置。
【請求項５】
前記部材を周方向に回転させる部材の回転手段を有する請求項１〜４のいずれかに記載の欠陥検査装置。
【請求項６】
前記ラインカメラが撮像した像を画像解析する画像解析部を有し、
前記ラインカメラが前記部材を回転させながら撮像することで前記部材の周面を撮像する請求項１〜５のいずれかに記載の欠陥検査装置。
【請求項７】
前記ラインカメラが撮像した像の輝度を、前記部材の欠陥の有無を判別するための輝度の閾値と比較して欠陥の有無を判別する判別部を有する請求項１〜６のいずれかに記載の欠陥検査装置。
【請求項８】
柱状の部材の表面の欠陥検査方法であって、
前記部材の軸心方向と平行に検査部位を照射する第一の照明と、前記検査部位を前記第一の照明と異なる角度から照射する第二の照明とにより照射する照射工程と、
前記照射工程で照射された検査部位をラインカメラにより撮像する撮像工程とを有し、
前記ラインカメラが前記検査部位を撮像する軸と、前記第一の照明が前記検査部位を照射する軸とのなす角度（θ１）が１０〜６０度の角度で、前記部材の高さ方向に沿って線状に照射し、
前記ラインカメラが前記検査部位を撮像する軸と、前記第二の照明が前記検査部位を照射する軸とのなす角度（θ２）が１０〜９０度の角度で、前記第一の照明が前記検査部位を照射する軸と、前記第二の照明が前記検査部位を照射する軸とのなす角度（Δθ）が１０〜５０度の角度で、前記部材の高さ方向に沿って線状に照射する欠陥検査方法。
【発明の詳細な説明】
【技術分野】
【０００１】
本発明は画像検査により欠陥を検査する欠陥検査装置および欠陥検査方法に関する。
【背景技術】
【０００２】
自動車等のシリンダや走行系部品、電子写真式画像形成装置等の感光体ドラムや定着ローラ等、工業用の部材等において円筒状や柱状等の形状の部材が広く利用されている。これらの部材は、鋳造や切削等し、機能性の付与や装飾の目的で適宜めっき処理等して製造されており、光沢を有していたり、地合ともよばれる表面の質感等を有している。これらの部材は、その形状や質感から表面検査等が難しく、訓練された検査者による目視検査等が行われている。
【０００３】
目視検査等による場合、訓練の程度や体調等によって判定がばらつく恐れがある。このため、自動検査する装置等が検討されている。このような検査装置等に関して、例えば、特許文献１の円筒ころ軸受の検査方法およびその検査装置や、特許文献２の欠陥検査装置等、特許文献３の表面欠陥検査装置及び方法等の文献が開示されている。これらは部材に照明を照射して表面を観察しその観察結果から欠陥等を検査する光学的手段による検査を行うものである。
【先行技術文献】
【特許文献】
【０００４】
【特許文献１】特開平７−２０９１９７号公報
【特許文献２】特開２００４−２６４０５４号公報
【特許文献３】特開２００６−２２６９００号公報
【発明の概要】
【発明が解決しようとする課題】
【０００５】
円柱や円筒、多角柱などの柱状部材は、その表面形状が曲面や角部等を有することから光学的手段で検査するとき、撮像手段が検出する輝度等に角度依存性等があり、照明の照射角度や照射強度、検査に適した撮像手段等の位置との調整が難しい場合がある。
【０００６】
柱状部材は、鋳造や切削、表面処理等を適宜組み合わせて製造される場合がある。このような柱状部材は、地合と呼ばれるような一定のムラがあるなかから微細なムラは排除し過検出を避けて欠陥のみを検出することが求められる場合がある。また、表面処理等がされ光沢が高く反射・散乱光が強いものから、欠陥と判断されるべき傷のみ検出しなければならない場合がある。さらに、部材において欠陥の向きによって、周方向に平行なキズや、軸心方向に平行なキズ、斜めに入ったキズ等のキズの向きや深さ、幅、先鋭さなど形状等によっても検出しにくい場合がある。特許文献１〜３等の従来の検査装置等は、このような欠陥を検出できない場合があった。
係る状況下、本発明の目的は、柱状部材の欠陥を検出することである。
【課題を解決するための手段】
【０００７】
本発明者は、上記課題を解決すべく鋭意研究を重ねた結果、下記の発明が上記目的に合致することを見出し、本発明に至った。すなわち、本発明は、以下の発明に係るものである。
【０００８】
＜１＞  柱状の部材の表面の欠陥検査装置であって、前記部材の軸心方向と平行に検査部位を撮像するラインカメラと、前記検査部位を照射する第一の照明と、前記検査部位を前記第一の照明と異なる角度から照射する第二の照明とを有し、
前記ラインカメラが前記検査部位を撮像する軸と、前記第一の照明が前記検査部位を照射する軸とのなす角度（θ１）が１０〜６０度の角度で、前記部材の高さ方向に沿って線状に照射し、
前記ラインカメラが前記検査部位を撮像する軸と、前記第二の照明が前記検査部位を照射する軸とのなす角度（θ２）が１０〜９０度の角度で、前記第一の照明が前記検査部位を照射する軸と、前記第二の照明が前記検査部位を照射する軸とのなす角度（Δθ）が１０〜５０度の角度で、前記部材の高さ方向に沿って線状に照射する欠陥検査装置。
＜２＞  前記角度（θ１）が２５〜６０度であり、前記角度（θ２）が１０〜３０度であり、前記角度（θ１）は前記角度（θ２）よりも大きく、前記角度（Δθ）が５〜４０度である前記＜１＞記載の欠陥検査装置。
＜３＞  前記角度（θ１）が、１０〜３０度であり、前記角度（θ２）が、２０〜９０度であり、前記角度（θ１）は前記角度（θ２）よりも大きく、前記角度（Δθ）が、１０〜６０度である前記＜１＞記載の欠陥検査装置。
＜４＞  前記ラインカメラが前記検査部位を撮像する軸に向かってみたとき、前記部材の軸心方向と、前記第二の照明の照射する軸とのなす角度が、０〜６０度の方向から照射するものである前記＜３＞記載の欠陥検査装置。
＜５＞  前記部材を周方向に回転させる部材の回転手段を有する前記＜１＞〜＜４＞のいずれかに記載の欠陥検査装置。
＜６＞  前記ラインカメラが撮像した像を画像解析する画像解析部を有し、
前記ラインカメラが前記部材を回転させながら撮像することで前記部材の周面を撮像する前記＜１＞〜＜５＞のいずれかに記載の欠陥検査装置。
＜７＞  前記ラインカメラが撮像した像の輝度を、前記部材の欠陥の有無を判別するための輝度の閾値と比較して欠陥の有無を判別する判別部を有する前記＜１＞〜＜６＞のいずれかに記載の欠陥検査装置。
＜８＞  柱状の部材の表面の欠陥検査方法であって、
前記部材の軸心方向と平行に検査部位を照射する第一の照明と、前記検査部位を前記第一の照明と異なる角度から照射する第二の照明とにより照射する照射工程と、
前記照射工程で照射された検査部位をラインカメラにより撮像する撮像工程とを有し、
前記ラインカメラが前記検査部位を撮像する軸と、前記第一の照明が前記検査部位を照射する軸とのなす角度（θ１）が１０〜６０度の角度で、前記部材の高さ方向に沿って線状に照射し、
前記ラインカメラが前記検査部位を撮像する軸と、前記第二の照明が前記検査部位を照射する軸とのなす角度（θ２）が１０〜９０度の角度で、前記第一の照明が前記検査部位を照射する軸と、前記第二の照明が前記検査部位を照射する軸とのなす角度（Δθ）が１０〜５０度の角度で、前記部材の高さ方向に沿って線状に照射する欠陥検査方法。
【発明の効果】
【０００９】
本発明によれば、柱状部材の欠陥を検出することができる。
【図面の簡単な説明】
【００１０】
【図１】本発明に係る欠陥検査装置の第一の実施形態の概略図である。
【図２】本発明に係る欠陥検査装置の第一の光学系を示す概略図である。
【図３】本発明に係る欠陥検査装置の第一の光学系の位置関係の詳細を示す平面図である。
【図４】本発明に係る欠陥検査装置の第二の光学系を示す概略図である。
【図５】本発明に係る欠陥検査装置による欠陥検査工程の一例を示すフロー図である。
【図６】本発明で検査するキズの概要を示す図である。
【図７】柱状部材の表面の欠陥検査結果を面情報として処理して表示した一例を示す図である。
【図８】柱状部材の欠陥部の輝度の一例を示す図である。
【図９】本発明の実施例により、柱状部材の表面の欠陥検査結果を面情報として処理して表示した一例を示す図である。
【図１０】本発明の実施例により、柱状部材の欠陥部の輝度の一例を示す図である。
【図１１】柱状部材の表面の欠陥検査結果を面情報として処理して表示した一例を示す図である。
【図１２】本発明の実施例により、柱状部材の表面の欠陥検査結果を面情報として処理して表示した一例を示す図である。
【発明を実施するための形態】
【００１１】
以下に本発明の実施の形態を詳細に説明するが、以下に記載する構成要件の説明は、本発明の実施態様の一例（代表例）であり、本発明はその要旨を変更しない限り、以下の内容に限定されない。なお、本明細書において「〜」という表現を用いる場合、その前後の数値を含む表現として用いる。
【００１２】
［本発明の欠陥検査装置］
本発明の欠陥検査装置は、柱状の部材の表面の欠陥検査装置であって、前記部材の軸心方向と平行に検査部位を撮像するラインカメラと、前記検査部位を照射する第一の照明と、前記検査部位を前記第一の照明と異なる角度から照射する第二の照明とを有し、
前記ラインカメラが前記検査部位を撮像する軸と、前記第一の照明が前記検査部位を照射する軸とのなす角度（θ１）が１０〜６０度の角度で、前記部材の高さ方向に沿って線状に照射し、
前記ラインカメラが前記検査部位を撮像する軸と、前記第二の照明が前記検査部位を照射する軸とのなす角度（θ２）が１０〜９０度の角度で、前記第一の照明が前記検査部位を照射する軸と、前記第二の照明が前記検査部位を照射する軸とのなす角度（Δθ）が１０〜５０度の角度で、前記部材の高さ方向に沿って線状に照射する。このような構成とすることで柱状部材の欠陥を検出することができる。また、この欠陥の検出は、画像を用いて検出するため、部材を非破壊で検出することができ、また検査によりキズが付くおそれもない検査である。よって、検査後の部材はそのまま利用することができる。
【００１３】
［本発明の欠陥検査方法］
本発明の欠陥検査方法は、柱状の部材の表面の欠陥検査方法であって、前記部材の軸心方向と平行に検査部位を照射する第一の照明と、前記検査部位を前記第一の照明と異なる角度から照射する第二の照明とにより照射する照射工程と、前記照射工程で照射された検査部位をラインカメラにより撮像する撮像工程とを有し、前記ラインカメラが前記検査部位を撮像する軸と、前記第一の照明が前記検査部位を照射する軸とのなす角度（θ１）が１０〜６０度の角度で、前記部材の高さ方向に沿って線状に照射し、前記ラインカメラが前記検査部位を撮像する軸と、前記第二の照明が前記検査部位を照射する軸とのなす角度（θ２）が１０〜９０度の角度で、前記第一の照明が前記検査部位を照射する軸と、前記第二の照明が前記検査部位を照射する軸とのなす角度（Δθ）が１０〜５０度の角度で、前記部材の高さ方向に沿って線状に照射する。このような構成とすることで柱状部材の欠陥を検出することができる。
本発明の欠陥検査方法は、本発明の欠陥検査装置を用いて行うことができ、本願においてそれぞれに対応する構成は相互に利用することができる。
【００１４】
本発明者は、従来目視で評価されていた円筒や円柱などの柱状の金属部材等を光学的手段による欠陥検査の検討を行った。その結果、後述する実施例等にも詳述するが、一つの照明で検査部位を照射した場合、欠陥が検出されなかったり、欠陥とその他の部位との輝度差が小さく判別が非常に難しい場合があることが分かった。これは、柱状部材に光を照射したとき、反射する光が様々な角度に散乱するため散乱光を検出する撮像手段の位置と照明の位置、それらの向きといった光学系の配置によって、輝度差が大きくなることが影響すると考えられる。さらに、比較的輝度差を検出しやすい配置を見出しても欠陥とそれ以外の部位との輝度差が小さく欠陥の判別がしにくい場合がある。また、地合とよばれるような欠陥ではない微細な凹凸等でも輝度差が生じて、なおさら欠陥の判別が難しい場合がある。
【００１５】
本発明者らは、このような柱状の部材の欠陥検査にあたって、ラインカメラを用いることで柱状部材からの散乱光の輝度が比較的安定した部位で撮像できることを見出した。また、検査部位を照射する第一の照明に加えて、第二の照明により第一の照明とは異なる角度から検査部位を照射することで地合等の影響を低減し、欠陥が存在する部分を選択的に輝度差が大きい状態にできることを見出した。
【００１６】
［欠陥検査装置（１００）］
本発明に係る欠陥検査装置の第一の実施形態を、図１等を用いて説明する。図１は、欠陥検査装置１００の構成の概要を示す図である。欠陥検査装置１００は、第一の照明１１と、第二の照明２１と、ラインカメラ３１とを有する。欠陥検査装置１００は、部材４の欠陥を検査する装置である。部材４は、部材４の固定手段５１に固定され、固定手段５１は回転手段５２上に設けられている。ラインカメラ３１で撮像した像は、画像検出部６０に検出され、画像解析部７０で解析や、欠陥の有無の判別がされ、その結果は表示部８０に表示される。撮像された画像や、解析された画像、欠陥の判別結果などは、適宜メモリ９０に保存される。以下、図１における部材４をラインカメラ３１で撮像する方向をＸ方向、Ｘ方向と水平面内で直交する方向をＹ方向、Ｘ方向およびＹ方向の水平面と直交する方向をＺ方向として説明する。
【００１７】
［第一の光学系（１０１）］
図２、図３は欠陥検査装置における光学系の配置の具体的な構成例を示す図である。第一の照明１１および第二の照明２１が部材４の検査部位４１を照射し、ラインカメラ３１は部材４の検査部位４１を撮像する。この欠陥検査装置における第一の照明１１および、第二の照明２１、ラインカメラ３１を本願において光学系とよぶ。図２は、第一の光学系１０１の一例を示す図である。図２（ａ）は、第一の光学系１０１を平面視した（Ｚ方向からみた）図である。図２（ｂ）は、第一の光学系１０１をラインカメラ３１の撮像方向（Ｘ方向）から見た図である。図３は第一の光学系１０１の配置をより詳しく説明するための図である。
【００１８】
［第一の照明（１１）］
第一の照明１１は、部材４の検査部位４１を照射する照明である。第一の照明１１は、部材４の高さ方向に沿って検査部位４１をラインカメラ３１によって撮像するため、この検査部位４１を照明するために、線状に照射する照明であることが好ましい。第一の照明１１は、線状に配置したＬＥＤなどの光源を用いて、さらに適宜集光手段により線状に集光して疑似的に平行光を照射するＬＥＤのライン照明やこれに相当する照度となるように光学系が設計された照明が好ましい。ＬＥＤのライン照明等を用いることで、適度に明るく広く照射するため、微細な凹凸による輝度差が生じにくいものとすることができる。
第一の照明１１は、ラインカメラ３１の撮像と部材４やその欠陥の状態等に応じて適宜選択できる。光の波長は、近紫外線程度から近赤外線程度の波長の光の単一波長でもよいし、混合色や白色でもよい。特に低波長３５０〜６５０ｎｍ付近にピーク波長を有する光が好ましい。高波長側にピークがある場合、欠陥付近で光が回り込んで照射し、輝度差が低下し欠陥検出しにくい場合がある。また、直線偏光や楕円偏光等の偏光を照射してもよいし、自然光を照射してもよい。
【００１９】
［第二の照明（２１）］
第二の照明２１は、第一の照明１１とは異なる角度から部材４の検査部位４１を照射する照明である。第二の照明２１には、第一の照明と同様の照明を用いることができる。検査部位４１を照射するとき、第一の照明１１とは異なる照度としてもよい。地合などの影響を低減するために、第一の照明１１よりも強い照度の照明とすることが好ましい。
【００２０】
［ラインカメラ（３１）］
ラインカメラ３１は、部材４の検査部位４１を撮像する。ラインカメラ３１は、フォトダイオードを直列に配置したもので対象を線状に撮像するものである。ラインカメラはＣＣＤやＣＭＯＳ等を適宜用いることができる。ラインカメラ３１が検査部位４１を撮像することで、部材４の表面が曲面等であっても検出される輝度差を低減して撮像することができる。
ラインカメラ３１の撮像画素数やスキャンレート等は、部材４の大きさや種類、観察するキズの種類、回転手段による回転速度等に応じて、適宜設定することができる。例えば、撮像画素数は５００画素以上や１０００画素以上、２０００画素以上とすることができる。特に、部材４が金属部材のときの鋳巣やヘアラインと呼ばれるような欠陥を検出し、これらの欠陥の大きさを判別できるように、ラインカメラ３１は画素当たり１５μｍ角程度撮像することができることが好ましく、１０μｍ角や８μｍ角程度のより微細な画素サイズで撮像できることがさらに好ましい。
【００２１】
［部材（４）］
部材４は、欠陥検査の対象となる柱状の部材である。部材４は中空部材や中実部材等いずれでもよく、円筒や円柱、多角柱などの形状である。部材４の材質は特に制限がなく、金属や樹脂、セラミック、ガラス管などを用いることができる。また、適宜、表面加工されていてもよく、メッキ塗工などされたものを用いてもよい。部材４は各材質や用途に応じて鋳造や切削、射出成形等を適宜組み合わせて成形されたものを用いることができる。特に鋳巣やヘアラインと呼ばれるような欠陥が生じやすく、地合と呼ばれる表面の質感が生じる金属部材などを好適な検査対象とすることができる。
検査部位４１は、ラインカメラ３１が撮像する線状の部分である。部材４の高さ方向に検査部位４１は設定される。部材４は後述する回転手段等により周方向に回転させながらラインカメラ３１で撮像することで、その側面全体の欠陥を検査することができる。
【００２２】
［第一の光学系（１０１）］
図３は第一の光学系１０１の配置をより詳しく説明するための図である。光学系１０１は、部材４の検査部位４１を検査するものである。第一の光学系１０１は、ラインカメラ３１と、第一の照明１１と、第二の照明２１とが所定の位置となるように配置されている。第一の光学系１０１は、角度θ１が角度θ２よりも大きい。すなわち、第一の照明１１よりも鋭角で第二の照明２１は検査部位４１を照射する構成である。また、第一の照明１１、第二の照明２１、ラインカメラ３１は、水平に配置されている。
【００２３】
［第二の光学系（１０２）］
また、図４は欠陥検査装置における光学系の配置の他の具体的な構成例を示す図である。第一の照明１１および第二の照明２１が部材４の検査部位４１を照射し、ラインカメラ３１は部材４の検査部位４１を撮像する。図４（ａ）は、第二の光学系１０２を平面視した（Ｚ方向からみた）図である。図４（ｂ）は、第二の光学系１０２をラインカメラ３１の撮像方向（Ｘ方向）から見た図である。
【００２４】
第二の光学系１０２は、ラインカメラ３１と、第一の照明１１と、第二の照明２１とが所定の位置となるように配置されている。第二の光学系１０２は、角度θ２が角度θ１よりも大きい。すなわち、第二の照明２１よりも鋭角から第一の照明１１により検査部位４１を照射する構成である。また、第一の照明１１、ラインカメラ３１は、部材４と水平面内に配置されているが、第二の照明２１は部材４の高さ方向（Ｚ方向）に斜め方向から検査部位４１を照射する。このため第二の光学系１０２に用いる第二の照明２１は、より指向性が高い高指向性の照明を用いることが好ましい。
【００２５】
［角度（θ１）］
角度θ１は、ラインカメラ３１が検査部位４１を撮像する軸ｘ０と、第一の照明１１が検査部位４１を照射する軸ｘ１とのなす角度である。この角度θ１は、１０〜６０度の角度であることが好ましい。角度θ１が小さすぎる場合、第一の照明１１とラインカメラ３１とが設置しにくかったり、欠陥と正常部との輝度差が小さく欠陥を検出しにくい。一方、角度θ１が大きすぎる場合、ラインカメラ３１が撮像する軸ｘ０方向に十分な輝度の散乱光が生じなかったり、散乱光が強すぎて欠陥を検出しにくい。
【００２６】
［角度θ２］
角度θ２は、ラインカメラ３１が検査部位４１を撮像する軸ｘ０と、第二の照明２１が検査部位４１を照射する軸ｘ２とのなす角度である。この角度θ２は１０〜９０度の角度であり、角度θ１と異なる角度となるように配置される。角度θ２が小さすぎる場合、第二の照明２１とラインカメラ３１とが設置しにくかったり、欠陥と正常部との輝度差が小さく欠陥を検出しにくい。一方、角度θ２が大きすぎる場合、ラインカメラ３１が撮像する軸ｘ０方向に十分な輝度の散乱光が生じなかったり、散乱光が強すぎて欠陥を検出しにくい。角度θ２は、角度θ１と異なる角度である。角度θ２を角度θ１と異なるものとすることで、欠陥と正常部の輝度差がより大きく安定して高精度で欠陥を検出することができる。
【００２７】
［角度（Δθ）］
角度Δθは、第一の照明１１が検査部位４１を照射する軸ｘ１と、第二の照明２１が検査部位４１を照射する軸ｘ２とのなす角度である。これは角度θ１と角度θ２との差である。角度Δθは、１０〜３０度の角度であることが好ましい。角度Δθがこの範囲から外れる場合、欠陥と正常部との輝度差が小さく欠陥を検出しにくい場合がある。
これらの角度θ１、角度θ２、角度Δθは、Ｚ方向（平面視）から見た第一の照明１１、第二の照明２１、ラインカメラ３１、検査部材４の位置関係における角度である。
【００２８】
第一の光学系１０１において、角度θ１は２５〜６０度が好ましく、角度θ２は１０〜３０度が好ましく、角度θ１は角度θ２よりも大きく、角度Δθが、５〜４０度であることが好ましい。このような配置とすることで、特に、部材４の周方向に平行なキズ（平行キズ）を効率よく検出することができる。
この平行キズをより効率よく検出するために、角度θ１は、３０〜５５度がより好ましく、３５〜４５度が特に好ましい。角度θ２は、１０〜２８度がより好ましく、１２〜２６度が特に好ましい。角度Δθはこれらの差であればよいが、８〜３５度がより好ましく、１０〜３０度が特に好ましい。
【００２９】
［角度（θｚ１）］
第二の光学系１０２において、第二の照明２１は、部材４の検査部位４１を斜めから照射する。部材４の高さ方向を軸ｚ０として、第二の照明２１から照射される光の中心を軸ｚ１としたとき、この軸ｚ０と軸ｚ１とのなす角度は、角度θｚ１である。角度θｚ１は、第二の照明２１も水平面内に配置する０度のものとしてもよいが、例えば１０〜６０度のように異なる角度とすることもできる。第二の光学系１０２のように、角度θ２が角度θ１よりも大きく、角度θｚ１として第二の照明２１を照射することで、特に、部材４の表面に周方向から高さ方向にかけて斜めのキズ（斜めキズ）を効率よく検出することができる。
【００３０】
第二の光学系１０２の角度θ１は、１０〜３０度が好ましく、角度θ２は２０〜９０度が好ましい。角度Δθは１０〜６０度が好ましい。また、角度θｚ１は前述のように０〜６０度から適宜選択してもよく、傾ける場合１０〜６０度が好ましい。
この斜めキズをより効率よく検出するために、角度θ１は、１０〜２０度がより好ましく、１２〜１８度が特に好ましい。角度θ２は、２０〜４５度がより好ましく、２５〜３５度が特に好ましい。角度Δθはこれらの差であればよいが、１０〜３０度がより好ましく、１５〜２５度が特に好ましい。角度θｚ１は、２０〜６０度がより好ましく、２５〜５０度がさらに好ましい。
【００３１】
［固定手段（５１）］
固定手段５１は、部材４を固定する手段である。部材４が筒状などで底面や天面に開口部を有する場合、内部から内爪で把持してもよいし、上部にテーパー部を有する錘状部材などに部材４の開口部を配置することで、開口部の内径と錘の径が一致する部位で留まる構造としてもよい。また、外爪により部材４の表面側を固定してもよいし、上下を押さえて固定するものでもよい。固定手段５１により、所定の検査部位４１を検査する間等に、部材４を措定の位置に固定する。
【００３２】
［回転手段（５２）］
固定手段５１は回転手段５２上に設けられている。回転手段５２は、固定手段５１に固定されている部材４の周方向に回転する手段である。回転ローラや歯車等により、固定手段５１を回転させることができる。回転手段５２の回転は、部材４の検査範囲に対応した回転ができればよく、全周を検査する場合、周方向に３６０度以上回転可能なものとすることができる。また、回転する位置を制御したり、検出したりして、部材４の周方向の位置を特定できるものであることが好ましい。
【００３３】
［画像検出部（６０）］
画像検出部６０は、ラインカメラ３１が撮像した情報を検出する部分である。ラインカメラ３１が撮像した像に関する情報は、適宜、有線や無線により電気情報等として画像検出部６０に送信される。この情報に基づき、画像として検出する。画像検出部６０は、ラインカメラ３１が撮像した同一の検査部位４１の輝度データなどを積分処理したものとして画像としてもよい。
【００３４】
［画像解析部（７０）］
画像解析部７０は、画像検出部６０が検出した画像を解析する部分である。適宜、回転手段５２を回転させながらラインカメラ３１や画像検出部６０を介して、輝度データ等として検出された線状の像を、検査範囲に対応した周方向の情報として解析して検査範囲全体の像とすることができる。画像解析部７０は、ラインカメラ３１が撮像した像の輝度に基づき、欠陥の有無を判別するための閾値により欠陥の有無を判別する判別部を有するものとしてもよい。
【００３５】
［表示部（８０）］
表示部８０は、画像解析部７０で解析した像や解析結果等を表示する部分である。例えば、画像検出部６０で検出した像を画像解析部７０で輝度補正等のみを行い、特定の線状の検査部位４１に関する像として表示してもよい。また、回転手段５２を回転させながら撮像したものを解析して、検査範囲の像としての撮像結果を表示してもよい。また、欠陥の有無を判別するための閾値により欠陥の有無を判別して、その判別結果を表示してもよい。また、その評価条件や、部材の情報等を合わせて表示するものとしてもよい。
【００３６】
［メモリ（９０）］
メモリ９０は、撮像された画像や、解析された画像、欠陥の判別結果などを、適宜保存する手段である。
【００３７】
［欠陥検査方法（Ｓ１００）］
図５は、欠陥検査装置１００を用いた欠陥検査方法の検査フローの一例を示す図である。
まず、第一の照明１１と、部材４の検査部位４１を第一の照明１１と異なる角度から照射する第二の照明２１とにより照射する照射工程Ｓ１１を行う。
この照射を維持した状態で、検査部位４１をラインカメラ３１で撮像する撮像工程Ｓ２１を行う。撮像した像は、適宜画像検出部６０で検出し、メモリ９０に保存する。
撮像を行った後、欠陥検査を行う所定の範囲を撮像したかの判定工程Ｓ２２を行う。所定の範囲を撮像していない場合、回転手段５２を回転させて検査部位４１を周方向に移動させて、次の検査部位４１が検査対象となるように配置する回転工程Ｓ２３を行う。この状態で、撮像工程Ｓ２１を行う。所定の範囲を撮像するまでこれを繰り返す。所定の範囲を撮像し終えた場合、撮像と回転を終了する。
撮像完了後、撮像されて検出された像を、画像解析手段７０で解析する画像解析工程Ｓ３１を行う。この解析は、部材４の表面の撮像結果を面状に配置したものとして、検出された像の輝度に応じて濃淡や色がつくものとして処理したり、所定の検査部位４１での輝度のチャートとする。解析結果に基づいて、欠陥を検出する所定の閾値と対比して、欠陥の有無の判別を行う判別工程Ｓ４１を行う。この閾値は、正常部の輝度が高く、欠陥が輝度が低いものとなる検査を行ったとき、所定の輝度よりも低いものを欠陥と、所定の輝度以上のものを正常部と判別するものとすることができる。判別結果は、表示部８０に表示する表示工程Ｓ５１を行い、部材４の欠陥検査を終了する。
【００３８】
柱状部材の欠陥は、視覚的や物理的に検出される、線状や面状の色や光沢のムラ、凹凸などの表面の異常部である。欠陥の代表的なものとして、図６に示すような線状のキズがあげられる。図６（ａ）は、柱状部材の高さ方向に沿ったキズである。図６（ｂ）は、柱状部材の周方向に沿ったキズである（平行キズ）。図６（ｃ）は、柱状部材の斜め方向のキズである（斜めキズ）。特に平行キズや斜めキズは、単独の照明により照射するとキズの段差に沿って照射光が入り込み影となりにくくなり、良品部である周囲との輝度差が生じにくい場合があったが、本発明によれば、このようなキズを検査することができる。
【実施例】
【００３９】
以下、実施例により本発明を更に詳細に説明するが、本発明は、その要旨を変更しない限り以下の実施例に限定されるものではない。
【００４０】
［実施例１］
第一の実施形態に準じる構成で欠陥検査装置を構成し、部材の表面を評価した。
白色（色温度：６５００Ｋ）の疑似平行光を照射するＬＥＤのライン照明を、第一の照明および第二の照明として用いた。また、ライン状に約８０００画素検出するラインカメラを用いて画像を検出した。ラインカメラは、１画素あたり約７μｍを撮像するものとなるように、部材との距離や撮影範囲、レンズ倍率を設定した。
角度θ１：４５°、角度θ２：１５°、角度Δθ：３０°となるように配置した。
・部材：金属を用いて鋳造後、切削して直径１５ｍｍ、高さ２０ｍｍの円筒状とした部材。複数製造した部材から、平行方向にキズがついたものを選別して評価対象とした。
【００４１】
［比較例１］
実施例１の構成において、第二の照明を消灯し、第一の照明のみで照明し、撮像された像を図７に示す。また、欠陥部位の輝度チャート図を、図８に示す。図７（ａ）は目視したとき、太くて大きいキズが確認される部位で、輝度をマップ化した図でも確認し得る。しかし、地合の凹凸との判別が行いにくい。また、図７（ｂ）は小さいキズが確認される部位であり、輝度をマップ化した図からは判断が難しい。
また、図８は、図７（ａ）に示す大きいキズに相当する部位での線状（図７（ａ）の縦方向）の輝度分布を示した図である。キズに相当する部位の輝度は他の正常部よりも低く、輝度により判別できる可能性があるが、正常部の地合による輝度が低い部分との差が小さく、閾値の設定が難しい。
【００４２】
［実施例１］
実施例１の構成において、第一の照明、第二の照明を用いて検査部位を照射し、撮像された像を図９に示す。図９（ａ）は太いキズを示すものであり、図９（ｂ）は小さいキズを示すものである。実施例１の構成により、第二の照明を設けることで、地合の影響を低減し、キズのみ顕著に濃い陰影として撮像することができた。また、小さいキズもキズと判別しやすい像を得ることができた。これは、軽微な凹凸差である地合の影は第一の照明とは異なる角度からの第二の照明の照射により低減され、大きな凹凸であるキズは、第二の照明を照射しても影が明確に残るためと考えられる。また、そのとき、部材の表面からの反射光がラインカメラに検出されることも防止できる判別に適した配置となっているためと考えられる。
また、図１０（ａ）は、図９（ａ）に示す大きいキズに相当する部位での線状（図９（ａ）の縦方向）の輝度分布と、図１０（ｂ）は図９（ｂ）の小さいキズの部位の輝度分布を示した図である。キズに相当する部位の輝度は他の正常部よりも低く、輝度により判別できる。また、正常部の地合による輝度が低い部分との差が大きく、欠陥と判別する閾値の設定も行いやすい。
【００４３】
［実施例２］
第二の実施形態に準じる構成で欠陥検査装置を構成し、部材の表面を評価した。
白色（色温度：６５００Ｋ）の疑似平行光を照射するＬＥＤのライン照明を、第一の照明および第二の照明として用いた。第二の照明はより高指向性の照射光を用いた。また、ライン状に約８０００画素検出するラインカメラを用いて画像を検出した。ラインカメラは、１画素あたり約７μｍを撮像するものとなるように、部材との距離や撮影範囲、レンズ倍率を設定した。
角度θ１：２０°、角度θ２：４０°、角度Δθ：２０°、角度θｚ１：３０°
・部材：金属を用いて鋳造後、切削して直径１５ｍｍ、高さ２０ｍｍの円筒状とした部材。複数製造した部材から、斜め方向にキズがついたものを選別して評価対象とした。
【００４４】
［比較例２］
実施例２の構成において、第二の照明を消灯し、第一の照明のみで照明し、撮像された像を図１１に示す。図１１（ａ）は撮像された像を示すものであり、図１１（ｂ）は欠陥部分の輝度チャートを抽出したものである。全体的に輝度が低く、欠陥部分と、正常部との判別が難しい。また、欠陥部位の輝度チャートを確認すると、欠陥部分の輝度は他の正常部より低いものの、地合の影響による正常部との輝度差が小さく、欠陥判別の閾値の設定が難しい。
良品部であるキズ周辺の輝度は、３８〜８０である。一方、キズ部分の最小輝度は１８であり、良品部の下限と、キズ部分の最小値との輝度差が約２０である。このため、欠陥判別の閾値を設定しにくく、例えば「輝度３０以下は欠陥」と設定しても、良品部の下限と近く誤検出となったり、キズであるにも関わらず検出できない場合がある。
【００４５】
［実施例２］
実施例２の構成において、第一の照明と第二の照明を照射し、撮像された像を図１２に示す。図１２（ａ）は撮像された像を示すものであり、図１２（ｂ）は欠陥部分の輝度チャートを抽出したものである。全体的に輝度が高く、正常部は地合の影響も低減した明るい像が得られ、キズは顕著に濃いものとなる像が得られ判別しやすい。また、欠陥部位の輝度チャートを確認すると、欠陥部分の輝度は他の正常部より著しく低く、地合の影響による正常部との輝度差も大きく、欠陥判別の閾値の設定が行いやすい。
良品部であるキズ周辺の輝度は、８０〜１９０である。一方、キズ部分の最小輝度は３１であり、良品部と輝度差が約５０以上の差がある。このため、欠陥判別の閾値を、例えば「輝度５０以下は欠陥」と設定しても、キズは良品部の下限となる８０程度よりも大幅に低い輝度であるため、誤検出等が生じにくく、判別しやすいものとできる。
これは、第二の照明を斜めから照射することで、地合の凹凸による影を低減できることに加えて、斜めのキズの凹凸の影を強調するものとなったためと考えられる。
【産業上の利用可能性】
【００４６】
本発明は、柱状部材等の欠陥の検査に利用することができ、産業上有用である。
【符号の説明】
【００４７】
１００  欠陥検査装置
１０１  第一の光学系
１０２  第二の光学系
１１  第一の照明
２１  第二の照明
３１  ラインカメラ
４  部材
４１  検査部位
５１  固定手段
５２  回転手段
６０  画像検出部
７０  画像解析部
８０  表示部
９０  メモリ
【図１】
2020122738.tif 000003
【図２】
2020122738.tif 000004
【図３】
2020122738.tif 000005
【図４】
2020122738.tif 000006
【図５】
2020122738.tif 000007
【図６】
2020122738.tif 000008
【図７】
2020122738.tif 000009
【図８】
2020122738.tif 000010
【図９】
2020122738.tif 000011
【図１０】
2020122738.tif 000012
【図１１】
2020122738.tif 000013
【図１２】
2020122738.tif 000014
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
柱状の部材の表面の欠陥検査装置であって、前記部材の軸心方向と平行に検査部位を撮像するラインカメラと、前記検査部位を照射する第一の照明と、前記検査部位を前記第一の照明と異なる角度から照射する第二の照明とを有し、
前記ラインカメラが前記検査部位を撮像する軸と、前記第一の照明が前記検査部位を照射する軸とのなす角度（θ１）が２５〜６０度の角度で、前記部材の高さ方向に沿って線状に照射し、
前記ラインカメラが前記検査部位を撮像する軸と、前記第二の照明が前記検査部位を照射する軸とのなす角度（θ２）が１０〜３０度の角度で、前記角度（θ１）は前記角度（θ２）よりも大きく、前記第一の照明が前記検査部位を照射する軸と、前記第二の照明が前記検査部位を照射する軸とのなす角度（Δθ）が５〜４０度の角度で、前記部材の高さ方向に沿って線状に照射し、
前記ラインカメラが撮像する像において、正常部の輝度を高く、欠陥の輝度を低くする欠陥検査装置。
【請求項２】
柱状の部材の表面の欠陥検査装置であって、前記部材の軸心方向と平行に検査部位を撮像するラインカメラと、前記検査部位を照射する第一の照明と、前記検査部位を前記第一の照明と異なる角度から照射する第二の照明とを有し、
前記ラインカメラが前記検査部位を撮像する軸と、前記第一の照明が前記検査部位を照射する軸とのなす角度（θ１）が１０〜３０度の角度で、前記部材の高さ方向に沿って線状に照射し、
前記ラインカメラが前記検査部位を撮像する軸と、前記第二の照明が前記検査部位を照射する軸とのなす角度（θ２）が２０〜９０度の角度で、前記角度（θ１）は前記角度（θ２）よりも小さく、前記第一の照明が前記検査部位を照射する軸と、前記第二の照明が前記検査部位を照射する軸とのなす角度（Δθ）が１０〜６０度の角度で、前記部材の高さ方向に沿って線状に照射し、
前記ラインカメラが撮像する像において、正常部の輝度を高く、欠陥の輝度を低くする欠陥検査装置。
【請求項３】
前記ラインカメラが前記検査部位を撮像する軸に向かってみたとき、前記部材の軸心方向と、前記第二の照明の照射する軸とのなす角度が、２０〜６０度の方向から照射するものである請求項２記載の欠陥検査装置。
【請求項４】
前記部材を周方向に回転させる部材の回転手段を有する請求項１〜３のいずれかに記載の欠陥検査装置。
【請求項５】
前記ラインカメラが撮像した像を画像解析する画像解析部を有し、
前記ラインカメラが前記部材を回転させながら撮像することで前記部材の周面を撮像する請求項１〜４のいずれかに記載の欠陥検査装置。
【請求項６】
前記ラインカメラが撮像した像の輝度を、前記部材の欠陥の有無を判別するための輝度の閾値と比較して欠陥の有無を判別する判別部を有する請求項１〜５のいずれかに記載の欠陥検査装置。
【請求項７】
柱状の部材の表面の欠陥検査方法であって、
前記部材の軸心方向と平行に検査部位を照射する第一の照明と、前記検査部位を前記第一の照明と異なる角度から照射する第二の照明とにより照射する照射工程と、
前記照射工程で照射された検査部位をラインカメラにより撮像する撮像工程とを有し、
前記ラインカメラが前記検査部位を撮像する軸と、前記第一の照明が前記検査部位を照射する軸とのなす角度（θ１）が２５〜６０度の角度で、前記部材の高さ方向に沿って線状に照射し、
前記ラインカメラが前記検査部位を撮像する軸と、前記第二の照明が前記検査部位を照射する軸とのなす角度（θ２）が１０〜３０度の角度で、前記角度（θ１）は前記角度（θ２）よりも大きく、前記第一の照明が前記検査部位を照射する軸と、前記第二の照明が前記検査部位を照射する軸とのなす角度（Δθ）が１０〜５０度の角度で、前記部材の高さ方向に沿って線状に照射し、
前記ラインカメラが撮像する像において、正常部の輝度を高く、欠陥の輝度を低くする欠陥検査方法。
【請求項８】
柱状の部材の表面の欠陥検査方法であって、
前記部材の軸心方向と平行に検査部位を照射する第一の照明と、前記検査部位を前記第一の照明と異なる角度から照射する第二の照明とにより照射する照射工程と、
前記照射工程で照射された検査部位をラインカメラにより撮像する撮像工程とを有し、
前記ラインカメラが前記検査部位を撮像する軸と、前記第一の照明が前記検査部位を照射する軸とのなす角度（θ１）が１０〜３０度の角度で、前記部材の高さ方向に沿って線状に照射し、
前記ラインカメラが前記検査部位を撮像する軸と、前記第二の照明が前記検査部位を照射する軸とのなす角度（θ２）が２０〜９０度の角度で、前記角度（θ１）は前記角度（θ２）よりも小さく、前記第一の照明が前記検査部位を照射する軸と、前記第二の照明が前記検査部位を照射する軸とのなす角度（Δθ）が１０〜６０度の角度で、前記部材の高さ方向に沿って線状に照射し、
前記ラインカメラが撮像する像において、正常部の輝度を高く、欠陥の輝度を低くする欠陥検査方法。
【手続補正２】
【補正対象書類名】明細書
【補正対象項目名】００２９
【補正方法】変更
【補正の内容】
【００２９】
［角度（θｚ１）］
第二の光学系１０２において、第二の照明２１は、部材４の検査部位４１を斜めから照射する。部材４の高さ方向を軸ｚ０として、第二の照明２１から照射される光の中心を軸ｚ１としたとき、この軸ｚ０と軸ｚ１とのなす角度は、角度θｚ１である。第二の照明２１も水平面内に配置するものとしてもよいが、例えば、角度θｚ１は２０〜６０度のように異なる角度とすることもできる。第二の光学系１０２のように、角度θ２が角度θ１よりも大きく、角度θｚ１として第二の照明２１を照射することで、特に、部材４の表面に周方向から高さ方向にかけて斜めのキズ（斜めキズ）を効率よく検出することができる。
【手続補正３】
【補正対象書類名】明細書
【補正対象項目名】００３０
【補正方法】変更
【補正の内容】
【００３０】
第二の光学系１０２の角度θ１は、１０〜３０度が好ましく、角度θ２は２０〜９０度が好ましい。角度Δθは１０〜６０度が好ましい。また、角度θｚ１は２０〜６０度が好ましい。
この斜めキズをより効率よく検出するために、角度θ１は、１０〜２０度がより好ましく、１２〜１８度が特に好ましい。角度θ２は、２０〜４５度がより好ましく、２５〜３５度が特に好ましい。角度Δθはこれらの差であればよいが、１０〜３０度がより好ましく、１５〜２５度が特に好ましい。角度θｚ１は、２５〜５０度がさらに好ましい。